(57)【要約】【課題】取り扱いが簡単で正確なツール案内を保証する案内手段を有するサーベル型鋸装置を得る。【解決手段】装置首部３の領域でハウジング４に設けたツール開口５に対して、サーベル型鋸装置２のツールを案内するための案内装置９を釈放自在に固定するモータ駆動のサーベル型鋸装置２であって、案内装置９に、連結部分１４を有する連結装置１０を設け、連結部分１４を案内する連結収容部１２をハウジング４に形成し、連結部分１４が調整装置３６に形状ロックを生ずることによってハウジング４に対して固定することができるようにしたモータ駆動のサーベル型鋸装置において、連結部分１４を、少なくとも部分的に円形断面を有するロッド状に形成する。好適には、各連結部分１４のための連結収容部１２として、ハウジング４に形成した個別の円形断面を有する連結収容孔４６を設ける。【選択図】図１
2004314296.tif 000002
【特許請求の範囲】
【請求項１】
装置首部（３）の領域でハウジング（４）に設けたツール開口（５）に対して、サーベル型鋸装置（２）を加工材に沿って案内するための案内装置（９）を釈放自在に固定するモータ駆動のサーベル型鋸装置（２）であって、前記案内装置（９）に、連結部分（１４）を有する連結装置（１０）を設け、前記連結部分（１４）を案内する連結収容部（１２）を前記ハウジング（４）に形成し、前記連結部分（１４）が調整装置（３６）に形状ロックを生ずることによって前記ハウジング（４）に対して固定することができるようにしたモータ駆動のサーベル型鋸装置において、前記連結部分（１４）を、少なくとも部分的に円形断面を有するロッド状に形成したことを特徴とするサーベル型鋸装置。
【請求項２】
各前記連結部分（１４）のための前記連結収容部（１２）として、ハウジング（４）に形成した個別の連結収容孔（４６）を設けた請求項１記載のサーベル型鋸装置。
【請求項３】
連結収容孔（４６）は、少なくとも部分的に円形断面を有するものとし、この円形断面の連結収容孔のこの円形断面の領域に各連結部分（１４）の円形断面領域を案内可能にした請求項２記載のサーベル型鋸装置。
【請求項４】
前記連結部分（１４）のうちの少なくとも一方に、円形断面を有する領域に複数個の錠止用縮径部（１６）を設け、この錠止用縮径部に錠止素子（３８）を配置可能にした請求項１乃至３のうちのいずれか一項に記載のサーベル型鋸装置。
【請求項５】
前記連結部分（１４）の軸線（Ａ）間の距離（ａ）を、ハウジング（４）のツール側端部領域（４７）の幅（ｂ）の０．３〜０．９倍の寸法とした請求項１乃至４のうちのいずれか一項に記載のサーベル型鋸装置。
【請求項６】
前記連結装置（１０）に、少なくとも１個の連結ブリッジ（２２）を設け、この連結ブリッジ（２２）に前記連結部分（１４）を固定した請求項１乃至５のうちのいずれか一項に記載のサーベル型鋸装置。
【請求項７】
前記連結ブリッジ（２２）には、前記連結部分（１４）のツール側端部を配置するようにした請求項６記載のサーベル型鋸装置。
【請求項８】
前記連結ブリッジ（２２）をＵ字状断面を有するものとした請求項６または７記載のサーベル型鋸装置。
【請求項９】
前記連結ブリッジ（２２）には、案内手段（８）を回転自在に支持する固定手段（３０，３２）を設けた請求項６乃至８のうちのいずれか一項に記載のサーベル型鋸装置。
【請求項１０】
前記連結ブリッジ（２２）は、湾曲した押し抜き加工部分により構成した請求項６乃至９のうちのいずれか一項に記載のサーベル型鋸装置。
【発明の詳細な説明】
【技術分野】
【０００１】
本発明は、装置首部の領域でハウジングに設けたツール開口に対して、サーベル型鋸装置を加工材に沿って案内するための案内装置を釈放自在に固定するモータ駆動のサーベル型鋸装置であって、前記案内装置に、連結部分を有する連結装置を設け、前記連結部分を案内する連結収容部を前記ハウジングに形成し、前記連結部分が調整装置に形状ロックを生ずることによって前記ハウジングに対して固定することができるようにしたモータ駆動のサーベル型鋸装置に関するものである。
【背景技術】
【０００２】
既知のサーベル型鋸装置では、通常案内シューまたは管アダプタのような案内手段を設け、サーベル型鋸装置を加工材に沿って確実かつ正確に案内するようにしている。この案内手段によれば、サーベル型鋸装置のユーザーが、少なくとも部分的に平坦なまたは円形の断面に精密に切断を行うことができるようになる。
【０００３】
ハウジング、サーベル型鋸装置を加工材に沿って案内する案内シュー、及び振り子運動するよう駆動される可動ロッドを有するサーベル型鋸装置がある。（例えば、特許文献１参照。）この案内シューは、長手方向の窪みを有する連結レールの端部に回動自在に配置し、連結レールは、ほぼ平行六面体の平坦なハウジング収容部に案内し、形状ロックを生じて固定することができる。
【特許文献１】米国特許第５，４２１，０９１号明細書
【０００４】
更に、ハウジング、サーベル型鋸装置を加工材に沿って案内する案内シュー、及び振り子運動するよう駆動される可動ロッドを有する他のサーベル型鋸装置がある。（例えば、特許文献２参照。）この案内シューは、スライド軸の端部に回動自在に配置し、このスライド軸は、ハウジング内に摺動自在に収納し、また調整装置によってハウジングに固定できるようにしている。このため、調整装置にはボルトを設け、このボルトのヘッドをボルト固定用引張レバーに掛合させている。ボルト固定用引張レバーの回動によって、スライド軸は、解除状態からボルトによりハウジングにクランプされたり、クランプ状態から釈放さたりする。
【特許文献２】独国特許第１９９３２６３７号明細書
【発明の開示】
【発明が解決しようとする課題】
【０００５】
しかし、これら２つの従来技術は、連結装置を形状ロックで固定する際に、十分高い切断品質を得るためには、連結装置及び連結収容部の製造に極めて高い精度を必要とするという欠点がある。更に、これに使用する調整装置は、連結装置の調整を見誤り易く、更に、案内手段の操作性が悪くなるという欠点がある。また、更に、摩擦力ロックで連結装置を固定する際には、連結装置の十分安定性がありかつ正確な固定のために相当大きな力を必要とし、連結装置の着脱または調整の操作性が悪くなるという欠点がある。
【０００６】
従って、本発明の目的は、上述の欠点を解決し、取り扱いが簡単で正確な案内を保証する案内手段を有するサーベル型鋸装置を得るにある。
【課題を解決するための手段】
【０００７】
この目的を達成するため、本発明サーベル型鋸装置は、連結装置の連結部分を、少なくとも部分的に円形断面を有するロッド状に形成したことを特徴とする。
【発明の効果】
【０００８】
連結部分を少なくとも部分的に、特に、案内手段を固定状態にする際の案内手段収容部の内部に位置する領域を円形断面にすることによって、連結装置とハウジングとの間の見誤りを十分回避することができる。これにより、連結部分と、この連結部分に形状ロックを生ずる調整装置との間のレバーアームにより、連結装置のねじれを防止するとともに、連結装置のハウジングに対するツールの移動方向の極めて安定した固定を行うことができる。さらに、案内手段の着脱または調整の際の操作性が良好になる。さらにまた、連結部分が円形ロッド状の構成であるため、連結部分の製造コストが安価であるという効果が得られる。
【発明を実施するための最良の形態】
【０００９】
本発明の好適な実施例においては、各連結部分のための連結収容部として、ハウジングに形成した個別の連結収容孔を設ける。この構成によれば、、案内手段のハウジングに対する案内を安定化させることができる。
【００１０】
本発明の好適な実施例においては、連結収容孔は、少なくとも部分的に円形断面を有するものとし、この円形断面の連結収容孔のこの円形断面の領域に各連結部分の円形断面領域を案内可能にする。このようにすると、連結部分の連結収容部おける特に正確な案内を生ずることができ、調整装置による連結装置の固定の際に、案内手段とハウジングとの間に安定した連結を生じ、これにより、切断作業の際のサーベル型鋸装置の正確な案内を保証することができる。
【００１１】
好適には、連結部分のうちの少なくとも一方に、円形断面を有する領域に複数個の錠止用縮径部を設け、この錠止用縮径部に錠止素子を配置可能にする。この構成によれば、ツールの移動方向に関して連結装置を安定して固定することができるようになる。更に、このような調整装置は、コスト的に有利に製造することができる。
【００１２】
更に、本発明の好適な実施例においては、連結部分の軸線間の距離を、ハウジングのツール側端部領域の幅の０．３〜０．９倍の寸法とする。この構成によれば、連結部分相互間に設けるレバーアームを比較的大きくすることができ、これにより、案内手段のハウジングに対する安定した固定のねじれ防止を保証することができる。更に、装置首部の長手方向への連結部分の比較的大きな距離及び調整により、作業領域の視認が最適になる。
【００１３】
好適には、連結装置に、少なくとも１個の連結ブリッジを設け、この連結ブリッジに連結部分を固定する。この構成によれば、連結装置、特に、案内手段の領域での高い安定性が得られる。
【００１４】
好適には、連結ブリッジに、連結部分のツール側端部を配置する。このようにすると、連結装置の作業領域における剛性が最大となる。
【００１５】
更に、好適には、連結ブリッジを、Ｕ字状断面を有するものとし、この構成によれば、連結部分の連結の安定性が得られる。
【００１６】
更に、本発明の好適な実施例においては、連結ブリッジに、案内手段を回転自在に支持する固定手段を設ける。この構成によれば、案内手段の軸受は、連結部分とは全く無関係にすることができ、製造コストを低減することができる。
【００１７】
好適には、連結ブリッジは、湾曲した押し抜き加工部分により構成する。これにより、連結装置の製造コストが安価になる。
【００１８】
次に、図面につき本発明の好適な実施例を説明する。
【実施例】
【００１９】
図１は、モータ駆動のサーベル型鋸装置２のツール側前方部分を示す。この鋸装置はハウジング４を有し、このハウジングのツール側端部にツール開口５を設け、このツール開口はツール側端部から装置首部３にわたり形成し、この装置首部は動作時に保持グリップとして使用する。このため、最終組立状態では装置首部は手保護カバーで包囲するが、説明を簡単にするため図示しない。
【００２０】
使用にあたり、破線で示す往復ロッド７に組み付けるツールチャック６が、図示しない鋸ブレードと一緒に、ツール開口５において往復移動する。
【００２１】
図には、案内シューの形式の案内手段８を有する案内装置９をハウジング４から分離した状態を示す。案内手段８は、ハウジング４の連結収容部１２に装置首部３の長手方向に差し込むことができる連結装置１０を介してハウジング４に固定することができる。
【００２２】
図２において、案内装置９の分解した状態を示す。この図面から分かるように、連結装置１０は、断面が丸い２個のロッド状の連結部分１４を有する。各連結部分の一方の端部側に、互いに等間隔離して配列した複数個の錠止用縮径部１６設ける。これら縮径部側とは反対側の端部において、各連結部分１４にそれぞれ長手方向に延びる固定用縮径部１８を設ける。
【００２３】
案内装置９を組み立てる際に、連結部分１４の固定用縮径部１８を、この縮径部に対応する形状の連結ブリッジ２２における当接部２０に、それぞれ当接し、２個の固定リベット２６によって当接部２２に固定する形成板２４によって縮径部をクランプする。案内装置９の組立状態では、連結部分１４は互いに平行になり、かつ、ハウジング４のツール側端部の幅ｂの０．３〜０．９倍の間隔ａだけ離れる。
【００２４】
連結ブリッジ２２はＵ字状断面を有し、各遊端２８には、軸受リベット３２のリベット収容部３０をそれぞれ設ける。これら軸受リベット３２は、組み付け状態では、案内手段８の２個の側面に形成した回転軸収容部３４に貫通する。このようにして、案内手段８は、切断作業中、軸受リベット３２の周りに、連結ブリッジ２２の周りに回動自在に保持される。収容部３０及び軸受リベット３２は、連結ブリッジ２２または固定装置１０に案内手段８を回転自在に支持する固定手段として機能する。
【００２５】
図３には、ハウジング４の下面３７に配置する連結装置１０の調整装置３６を示す。この調整装置３６は錠止素子３８を有し、この錠止素子３８は、不作動状態ではロッド状のばね素子４０によって、ハウジング４の開口４２に圧入される。これにより、錠止素子３８の錠止部分は、装置首部３の長さ方向に延在する連結収容部１２のほぼ円筒形の連結収容孔４６に位置する。双方の連結収容孔の軸線は互いにａの距離離れ、この距離は、ハウジング４のツール側端部領域４７の幅ｂの０．３〜０．９倍の幅にする。
【００２６】
ばね素子４０の錠止素子３８側とは反対側の端部は、ねじ４８によってハウジング４に固定する。更に、シーソー素子５０を設け、このシーソー素子５０の端部を錠止素子に接触させ、ノブ状の操作部分５４によって操作可能にする。
【００２７】
案内手段の固定の際に、連結装置１０の連結部分１４を連結収容部１２の連結収容孔４６内に挿入する。同時に、シーソー素子５０の操作部分５４を押し下げる。これにより、シーソー素子の端部５２は、ばね素子４０の力に抗して錠止素子３８を移動する。このようにして、錠止素子８の錠止部分４４は連結収容孔４６から離れる方向に移動し、連結部分１４は錠止素子３８を経て連結収容部１２内に挿入することができるようになる。
【００２８】
ハウジング４に対する案内手段８の所定の距離が得られたとき、シーソー素子５０の操作部分５４を釈放する。この結果、ばね素子４０が錠止素子の錠止部分４４をハウジングの開口４２から連結収容孔４６内に移動させる。このとき、錠止部分４４は、このときの連結装置１０の状態でハウジング開口４２に位置する双方の連結部分１４の縮径部１６に掛合する。これにより、サーベル型の鋸装置２のハウジング４に対して、連結装置１０が調整装置３６と形状的にロックされ、案内手段８は装置首部の長手方向に固定される。同時に、円筒形形状の連結収容孔４６内における連結部分１４の円形断面によって、高いねじれ剛性をもたらす。
【００２９】
ハウジング４に対する案内手段８の距離を変化させるためには、操作部分５４を再び押し下げ、案内手段８を連結装置１０と一緒に所定位置に移動する。連結部分１４の円形断面を、円筒形形状の連結収容孔４６に案内することにより、連結収容部１２における連結装置１０の故障のない調整が得られる。新たな位置でシーソー素子５０を上述のように釈放すると、錠止素子３８はこのときハウジング開口に位置する錠止用縮径部１６に掛合することができる。
【００３０】
同様に、シーソー素子５０によって、案内手段８は連結装置１０と一緒に、サーベル型鋸装置２のハウジング４に完全に収容することができる。
【図面の簡単な説明】
【００３１】
【図１】本発明によるサーベル型鋸装置の案内装置を分離した状態を示す伝動部分の斜視図である。
【図２】図１に示す案内装置の分解斜視図である。
【図３】伝動部分ハウジングの下側の調整装置を分解して示す拡大斜視図である。
【符号の説明】
【００３２】
２  サーベル型鋸装置
３  装置首部
４  ハウジング
５  ツール開口
６  ツールチャック
７  往復ロッド
８  案内手段
９  案内装置
１０  連結装置
１２  連結収容部
１４  連結部分
１６  錠止用縮径部
１８  固定用縮径部
２０  当接部
２２  連結ブリッジ
２４  形成板
２６  固定リベット
２８  遊端
３０  リベット収容部
３２  軸受リベット
３４  回転軸収容部
３６  調整装置
３７  下面
３８  錠止素子
４０  ばね素子
４４  錠止部分
４２  開口
４６  連結収容孔
４７  ツール側端部領域
４８  ねじ
５０  シーソー素子
５２  シーソー素子の端部
５４  操作部分
【図１】
2004314296.tif 000003
【図２】
2004314296.tif 000004
【図３】
2004314296.tif 000005